(57)【要約】      （修正有）【課題】優れた熱風効果を有する防水コネクタを提供する。【解決手段】防水コネクタは、オスコネクタ２１とメスコネクタ２２を含む。オスコネクタのオス端子がオス端子台に挿し込まれ、オス端子締め付け用ヘッドがオス端子台上に配置され、シール部材がオス端子締め付け用ヘッド底部において導線絶縁層部分までを被覆し、メスコネクタのメス端子がメス端子台に挿し込まれ、メス端子締め付け用ヘッドがメス端子台上に配置かつ固定され、第二シール部材がメス端子締め付け用ヘッドの底部において導線絶縁層部分までを被覆し、オス端子締め付け用ヘッドの外側とメス端子締め付け用ヘッドの内側に互いにねじ込み可能なネジ山構造が配置されている。シール部材はナイロン材料とＰＵ材料の二回の射出成形、又は一回の射出成形によるものであり、締め付け用ヘッドにはアルミ型材又はプラスチックが使用され、コネクタが緊密に接続される。【選択図】図１
0003207493.tif 000002
【実用新案登録請求の範囲】
【請求項１】
少なくも一個のオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記オス端子締め付け用ヘッドの外側にネジ山が配置され、前記オス端子締め付け用ヘッドがアルミ製材質である、
ことを特徴とする防水コネクタ。
【請求項２】
前記第一ハウジングが、ＰＵシール層とナイロンシール層を含み、前記ナイロンシール層が前記ＰＵシール層の表面に配置され、前記ＰＵシール層と前記ナイロンシール層がそれぞれ一回の射出成形によって形成される、
ことを特徴とする請求項１に記載の防水コネクタ。
【請求項３】
前記オス端子台にヘッドストッパー部、中間可動部及び尾部射出成形部が配置され、前記オス端子締め付け用ヘッドが前記中間可動部に沿っていくらかの移動可能ストロークを有し；前記オス端子締め付け用ヘッドが前記中間可動部に配置され、かつ前記ヘッドストッパー部によって前記オス端子台からその離脱が阻止され、前記尾部射出成形部にネジ山が配置される、
ことを特徴とする請求項１に記載の防水コネクタ。
【請求項４】
前記オスコネクタにパーテーション及びフールプルーフ構造が配置される請求項１に記載の防水コネクタ。
【請求項５】
メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
前記メス端子締め付け用ヘッドの内側にネジ山が配置され、前記メス端子締め付け用ヘッドがアルミ製材質である、
ことを特徴とする防水機能のメスコネクタ。
【請求項６】
前記メス端子台にヘッド部、中間バリア部及び尾部射出成形部が配置され、前記メス端子締め付け用ヘッドが前記ヘッド部に固定され、前記尾部射出成形部にネジ山が設計され、前記メス端子締め付け用ヘッドと前記中間バリア部の間にシールリングが配置される、
ことを特徴とする請求項５に記載のメスコネクタ。
【請求項７】
前記第二ハウジングがＰＵシール層とナイロンシール層を含み、前記ナイロンシール層が前記ＰＵシール層の表面に配置され、前記ＰＵシール層と前記ナイロンシール層がそれぞれ一回の射出成形によって形成された、
ことを特徴とする請求項５に記載のメスコネクタ。
【請求項８】
スペースと凹部をさらに備える、
ことを特徴とする請求項５に記載のメスコネクタ。
【請求項９】
防水コネクタであって、オスコネクタとメスコネクタを含み、うち一つが入力端子、別の一つが出力端子であり、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
前記オス端子締め付け用ヘッドの外側に外側のネジ山が配置され、前記メス端子締め付け用ヘッドの内側に前記外側のネジ山と互いにねじ込み可能な内側のネジ山が配置される、ことを特徴とする防水コネクタ。
【請求項１０】
前記オス端子台にヘッドストッパー部、中間可動部及び尾部射出成形部が配置され、前記オス端子締め付け用ヘッドが前記中間可動部に沿っていくらかの移動可能ストロークを有し、前記オス端子締め付け用ヘッドが前記中間可動部に配置され、かつ前記ヘッドストッパー部によって前記オス端子台からその離脱が阻止され、前記尾部射出成形部にネジ山が設計され；前記メス端子台にヘッド部、中間バリア部及び尾部射出成形部が配置され、前記メス端子締め付け用ヘッドが前記ヘッド部に固定され、前記尾部射出成形部にネジ山が設計される、
ことを特徴とする請求項９に記載の防水コネクタ。
【請求項１１】
防水コネクタユニットが少なくとも一組又は複数組の防水コネクタを含み、各組の防水コネクタが少なくともオスコネクタとメスコネクタを含み、うち一つが入力端子、別の一つが出力端子であって、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
メスコネクタのメス端子締め付け用ヘッドとオスコネクタのオス端子締め付け用ヘッドがネジ締めされて接続され、かつ前記防水コネクタユニットの間が各自のオスコネクタ又はメスコネクタによって相互に並列又は直列又は直並列接続される、
ことを特徴とする防水コネクタユニット。
【請求項１２】
前記オス端子締め付け用ヘッドの外側に外側のネジ山が配置され、前記メス端子締め付け用ヘッドの内側に前記外側のネジ山と互いにねじ込み可能な内側のネジ山が配置される、
ことを特徴とする請求項１１に記載の防水コネクタユニット。
【請求項１３】
前記第一ハウジングが一回の射出成形によって形成されたプラスチックのシール層であり、その直径Ａ１が直径Ａより１−５ｍｍ小さく設定され、直径ＡがＰＵシール層とナイロンシール層がそれぞれ別に射出成形されて構成された場合の第一ハウジングの直径であり；及び／又は
第二ハウジングが一回の射出成形によって形成されたプラスチックのシール層であり、その直径Ｂ１が直径Ｂより１−５ｍｍ小さく設定され、直径ＢがＰＵシール層とナイロンシール層がそれぞれ別に射出成形されて構成された場合の第二ハウジングの直径である、
ことを特徴とする請求項１１に記載の防水コネクタユニット。
【請求項１４】
少なくとも一つのオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、かつ前記オス端子締め付け用ヘッドの外側にネジ山が配置され、さらに前記オスコネクタの第一ハウジングがプラスチック一体射出成形されたものである、
ことを特徴とする防水コネクタ。
【請求項１５】
前記第一ハウジングが一回の射出成形によって形成されたプラスチックのシール層であり、その直径Ａ１が直径Ａより１−５ｍｍ小さく設定され、直径ＡがＰＵシール層とナイロンシール層がそれぞれ別に射出成形されて構成された場合の第一ハウジングの直径である、
ことを特徴とする請求項１４に記載の防水コネクタ。
【請求項１６】
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッド底部において導線絶縁層部分までを被覆し、前記メス端子締め付け用ヘッドの内側にネジ山が配置され、かつ前記メスコネクタの第二ハウジングがプラスチック一体射出成形されたものである、
ことを特徴とする防水機能のメスコネクタ。
【請求項１７】
前記第二ハウジングが一回の射出成形によって形成されたプラスチックのシール層であり、その直径Ｂ１が直径Ｂより１−５ｍｍ小さく設定され、直径ＢがＰＵシール層とナイロンシール層がそれぞれ別に射出成形されて構成された場合の第二ハウジングの直径である、ことを特徴とする請求項１６に記載の防水機能のメスコネクタ。
【考案の詳細な説明】
【技術分野】
【０００１】
本考案は、電気接続分野に関わり、特に防水コネクタに関わるものである。
【背景技術】
【０００２】
コネクタは各種電気回路に広く応用され、電気回路を接続又は切断する作用を果たし、これらソケット又はジョイントを電器装置に取り付けるプロセスを簡易化できるものである。街灯、ＬＥＤディスプレイなど既存の電子設備に使用するコネクタは増加の一途をたどり、ＬＥＤ外灯は屋外で使用する必要があるため、そのコネクタには高い防水性が要求されるものの、既存のコネクタの防水性能は低く、ソケット又はプラグ内に浸水した場合、ショートによる信号中断という状況が出現するおそれがあった。
【０００３】
既存の防水コネクタの締め付け用ヘッドはナイロン材料を用いて製造され、オスコネクタとメスコネクタ接続時の密封性に劣り、保護等級も低いものであった。
【０００４】
既存の防水コネクタのシール層はＰＶＣ材料を用いて一回の射出成形されるが、ＰＶＣ材料は耐候性に劣るため、長期の使用が防水コネクタの保護性能に影響及ぼすおそれがあり、かつＰＶＣ材料は電線のゴム製プロテクターとの接着性に劣り、間隙が生じ易いことから、防水コネクタの防水性能に影響を及ぼすものであった。
【考案の概要】
【考案が解決しようとする課題】
【０００５】
本考案は防水コネクタを提供するものであり、該防水コネクタは少なくとも一つのオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、
前記オス端子締め付け用ヘッドの外側にネジ山が配置され、前記オス端子締め付け用ヘッドがアルミ製材質である。
【０００６】
好ましくは、前記第一ハウジングがＰＵシール層とナイロンシール層を含み、前記ナイロンシール層が前記ＰＵシール層の表面に配置され、前記ＰＵシール層と前記ナイロンシール層がそれぞれ一回の射出成形によって形成される。
【０００７】
好ましくは、前記オス端子台にヘッドストッパー部、中間可動部及び尾部射出成形部が配置され、前記オス端子締め付け用ヘッドが前記中間可動部に沿っていくらかの移動可能ストロークを有する。前記オス端子締め付け用ヘッドが前記中間可動部に配置され、かつ前記ヘッドストッパー部によって前記オス端子台からその離脱が阻止され、前記尾部射出成形部にネジ山が設計される。
【０００８】
好ましくは、前記オスコネクタにパーテーション及びフールプルーフ構造が配置される。
【０００９】
本考案はさらに防水機能のメスコネクタを提供するものであり、前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し、
前記メス端子締め付け用ヘッドの内側にネジ山が配置され、前記メス端子締め付け用ヘッドがアルミ製材質である。
【００１０】
好ましくは、前記メス端子台にヘッド部、中間バリア部及び尾部射出成形部が配置され、前記メス端子締め付け用ヘッドが前記ヘッド部に固定され、前記尾部射出成形部にネジ山が設計され、前記メス端子締め付け用ヘッドと前記中間バリア部の間にシールリングが配置される。
【００１１】
好ましくは、前記第一ハウジング及び第二ハウジングがＰＵシール層とナイロンシール層を含み、前記ナイロンシール層が前記ＰＵシール層の表面に配置され、前記ＰＵシール層と前記ナイロンシール層がそれぞれ一回の射出成形によって形成される。
【００１２】
好ましくは、スペースと凹部がさらに配置される。
【００１３】
本考案はさらに防水コネクタを提供するものであり、該防水コネクタはオスコネクタとメスコネクタを含み、うち一つが入力端子、別の一つが出力端子であり、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し、
前記オス端子締め付け用ヘッドの外側に外側のネジ山が配置され、前記メス端子締め付け用ヘッドの内側に前記外側のネジ山と互いにねじ込み可能な内側のネジ山が配置される。
【００１４】
好ましくは、前記第二ハウジングがＰＵシール層とナイロンシール層を含み、前記ナイロンシール層が前記ＰＵシール層の表面に配置され、前記ＰＵシール層と前記ナイロンシール層がそれぞれ一回の射出成形によって形成される。
【００１５】
好ましくは、前記オス端子締め付け用ヘッドと前記メス端子締め付け用ヘッドがアルミ製材質である。
【００１６】
好ましくは、前記オス端子台にヘッドストッパー部、中間可動部及び尾部射出成形部が配置され、前記オス端子締め付け用ヘッドが前記中間可動部に沿っていくらかの移動可能ストロークを有し、前記オス端子締め付け用ヘッドが前記中間可動部に配置され、かつ前記ヘッドストッパー部によって前記オス端子台からその離脱が阻止され、前記尾部射出成形部にネジ山が設計され、前記メス端子台にヘッド部、中間バリア部及び尾部射出成形部が配置され、前記メス端子締め付け用ヘッドが前記ヘッド部に固定され、前記尾部射出成形部にネジ山が設計される。
【００１７】
好ましくは、前記メス端子締め付け用ヘッドと前記中間バリア部の間にシールリングが配置される。
【００１８】
好ましくは、複数のメスコネクタを含み、前記複数のメスコネクタが一体射出成形によって成形される。前記一体射出成形によって成形された複数のメスコネクタの電気（接続）方式は、全直列、又は全並列、又は直並列接続とすることができる。
【００１９】
防水コネクタユニットであって、防水コネクタユニットは少なくとも一組又は複数組の防水コネクタを含み、各組の防水コネクタは少なくともオスコネクタとメスコネクタを含み、うち一つが入力端子、別の一つが出力端子であり、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し、
メスコネクタのメス端子締め付け用ヘッドとオスコネクタのオス端子締め付け用ヘッドがネジ締めされて接続され、かつ前記防水コネクタユニットの間が各自のオスコネクタ又はメスコネクタによって相互に並列又は直列又は直並列接続される。
【００２０】
説明されるべきこととして、前記オス端子締め付け用ヘッドの外側に外側のネジ山が配置され、前記メス端子締め付け用ヘッドの内側に前記外側のネジ山と互いにねじ込み可能な内側のネジ山が配置される。さらに前記第一ハウジング／第二ハウジングがＰＵシール層とナイロンシール層を含み、前記ナイロンシール層が前記ＰＵシール層の表面に配置され、前記ＰＵシール層と前記ナイロンシール層がそれぞれ一回の射出成形によって形成され、又は前記第一ハウジング／第二ハウジングが一回の射出成形によって形成されたプラスチックのシール層である。
【００２１】
防水コネクタであって、該防水コネクタが少なくとも一つのオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、かつ前記オス端子締め付け用ヘッド上にメスコネクタとネジ締めされて接続される構造が配置され、さらには前記オスコネクタの第一ハウジングがプラスチック一体射出成形されたものである。
【００２２】
前記オス端子締め付け用ヘッドがプラスチック一体射出成形されたものである。
【００２３】
防水機能のメスコネクタであって、前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッド底部において導線絶縁層部分までを被覆し、前記メス端子締め付け用ヘッド上にオスコネクタとネジ締めされて接続される構造が配置され、さらに前記メスコネクタの第二ハウジングがプラスチック一体射出成形されたものである。
【００２４】
前記メス締め付け用ヘッドがプラスチック一体射出成形されたものである。
【００２５】
前記第一ハウジングが一回の射出成形によって形成されたプラスチックのシール層であり、その直径Ａ１が直径Ａより１−５ｍｍ小さく設定され、Ａが前記第一ハウジング、即ちＰＵシール層とナイロンシール層がそれぞれ別に射出成形されて構成された場合の第一ハウジングの直径であり、及び／又は
第二ハウジングが一回の射出成形によって形成されたプラスチックのシール層であり、その直径Ｂ１が直径Ｂより１−５ｍｍ小さく設定され、Ｂが前記第二ハウジング、即ちＰＵシール層とナイロンシール層がそれぞれ別に射出成形されて構成された場合の第二ハウジングの直径である。
【考案の効果】
【００２６】
まず、本考案において提供するオスコネクタとメスコネクタのシール層には二回の射出成形を採用することができ、かつナイロンシール層に使用するナイロン材料とゴム材質を使用する電線カバーの接合粘着性は良好であり、これによりオスコネクタと電線の接続部位の防水性が良好となり、かつＰＵ材料の耐候性も良好となるため、防水コネクタの保護等級が向上する。締め付け用ヘッドはアルミ型材を用いて加工製造され、さらにオス端子締め付け用ヘッドとメス端子締め付け用ヘッドをネジ締めする場合において挿し込み口接続ヘッド部位のシールリングを強く押し付けて配置できるため、密封効果がより向上する。前記オスコネクタにパーテーションを配置することで、沿面距離と空間距離を増加させ、フールプルーフを設計することで、正負極誤接続を防止する。
【００２７】
次に、本考案において提供する第二の手段ではオスコネクタの第一ハウジングとメスコネクタの第二ハウジングにプラスチック一回の成形を採用することができるため、低コストであるのみならず、極めて加工し易い。中でも、試験の結果、プラスチック一回の成形を採用することで、オスコネクタと電線の接続部位の防水性がさらに良好となり、防水コネクタの保護等級もより向上することができ、また、締め付け用ヘッドにプラスチック一回の成形を同時に採用し、かつオス端子締め付け用ヘッドとメス端子締め付け用ヘッドのネジ締め時において挿し込み口接続ヘッド部位のシールリングを強く押し付けて配置できることで、密封効果がより向上することが明らかになっている。
【００２８】
また、オス端子締め付け用ヘッドが前記中間可動部に沿っていくらかの移動可能ストロークを有し、オス端子締め付け用ヘッドが前記中間可動部に配置され、かつ前記ヘッドストッパー部によって前記オス端子台からその離脱が阻止される。オス端子締め付け用ヘッドの長さをオス端子台の中間可動部の長さより短くすることによって、オス端子締め付け用ヘッドはネジ締め操作を行うための充分な活動スペースを確保し、同様に密封効果も向上させる。
【００２９】
本考案はさらに防水コネクタユニットを提供するものであり、防水コネクタユニットは若干の接続ヘッドユニット及び前記各接続ヘッドユニットと接続するオスコネクタ又はメスコネクタを含み、前記各接続ヘッドユニットは相互に接続し合うオスコネクタとメスコネクタを含み、防水コネクタユニット間において各自のオスコネクタ又はメスコネクタを相互に並列又は直接又は直並列接続することによって、電気接続を実現し、全ての防水コネクタの応用場所を大幅に拡大させる。
【００３０】
なお本考案の実施に関わる任意の製品が上述の優位性全てを必ずしも同時に達成する必要がないことは当然である。
【図面の簡単な説明】
【００３１】
図１は本考案の一つの実施例の構造を示す図である。
図２Ａ、図２Ｂはそれぞれ本考案の第一の実施例、第二の実施例において提供するオスコネクタの分解図である。
図３Ａ、図３Ｂは本考案の第一の実施例、第二の実施例において提供するメスコネクタの分解図である。
図４は本考案において提供する２口防水コネクタの構造を示す図である。
図５は本考案において提供する３口防水コネクタの構造を示す図である。
図６は本考案において提供する４口防水コネクタの構造を示す図である。
図７は本考案の実施例において提供するオスコネクタの断面図である。
図８は本考案実施例において提供するオスコネクタの立面図である。
図９は本考案実施例において提供するメスコネクタの立面図である。
【考案を実施するための形態】
【００３２】
本考案は防水コネクタを提供するものであり、図１に示す通り、オスコネクタ２１とメスコネクタ２２を含み、オスコネクタ２１は入力端子であって、前記オスコネクタ２１と電源のメスコネクタ２２とを接続し、オスコネクタ２１と電気製品とを接続することで、電気製品に電気を供給する。
【００３３】
図２Ａに示す通り、前記オスコネクタ２１はオス端子１、オス端子台２、オス端子締め付け用ヘッド３及び第一ハウジングを含み、オス端子はピン状であって、オス端子１はオス端子台２に挿し込まれ、オス端子１が挿し込まれたオス端子台２の一端と導線が接続され、オス端子締め付け用ヘッド３はオス端子台２上に配置され、かつオス端子台２に沿って移動が可能であり、第一ハウジングはオス端子締め付け用ヘッド３の底部において導線絶縁層部分までを被覆し、オスコネクタ２１にパーテーション３１を配置することで、沿面距離と空間距離を増加させる。またフールプルーフ構造３２を設計することで、正負極誤接続を防止する。具体的には、パーテーション３１を壁状構造とすることができ、フールプルーフ構造３２をアーチ形とすることができる。
【００３４】
図３Ａに示す通り、前記メスコネクタ２２はメス端子１１、メス端子台１２、メス端子締め付け用ヘッド１３及び第二ハウジング（ＰＵシール層７とナイロンシール層８を含む）を含み、メス端子はピンホール状であって、メス端子１１はメス端子台１２に挿し込まれ、メス端子１１が挿し込まれたメス端子台１２の一端と導線が接続され、メス端子締め付け用ヘッド１３がメス端子台１２に配置かつ固定され、前記第二ハウジングが前記メス端子締め付け用ヘッド１３底部において導線絶縁層部分までを被覆し、
オス端子締め付け用ヘッド３の外側に外側のネジ山が配置され、メス端子締め付け用ヘッド１３の内側に前記外側のネジ山と互いにねじ込み可能な内側のネジ山が配置される。
【００３５】
図９に示す通り、メスコネクタ２２にオスコネクタ２１のパーテーション３１と整合するスペース４２が配置され、オスコネクタのフールプルーフ構造３２に対応する位置に凹部４３が配置され、オスコネクタのフールプルーフ構造３２とメスコネクタに対応する凹部４３を係合して使用し、位置を限定することで、正負極誤接続を防止し、パーテーション３１とスペース４２を係合して使用することで、沿面距離と空間距離を増加させ、安全性能を向上させる。
【００３６】
本実施例において、前記第一ハウジング及び第二ハウジングにＰＵシール層５（７）とナイロンシール層６（８）の組み合わせが同時に採用され、ナイロンシール層６（８）がＰＵシール層５（７）表面に配置され、ＰＵシール層５（７）とナイロンシール層６（８）がそれぞれ一回の射出成形によって形成される。
【００３７】
出願人の製造過程において、ＰＵシール層５とナイロンシール層６にそれぞれ一回の射出成形の実施を採用すると、製造工程が複雑になり、ＰＵシール層５とナイロンシール層６の間の間隙から水の流出が認められ、顕著な密封効果が得られないことが明らかになった。以上より、出願人は複数回の研究開発を経て、オス端子締め付け用ヘッド３２とメス端子締め付け用ヘッド１３はプラスチックシール層６１（図２Ｂを参照のこと）又はその他のプラスチック材料とすることもでき、一回の射出成形によって形成できることを確認した。さらに複数回の試験の結果、ＰＵシール層５とナイロンシール層６の二回の射出成形で製造した第一ハウジングの直径がＡとなることが明らかになった。プラスチックシール層６１に一回の射出成形を採用し、その直径Ａ１が直径Ａより１−５ｍｍ小さく設定される場合に、プラスチックシール層６１の密封性は極めて良好であり、かつボールプレッシャー試験の要求を完全に満たすことが明らかになった。さらに、直径Ａ１がＡより２−３ｍｍ小さいときに、より良好な密封性が得られた。
【００３８】
同様に、第二ハウジングは一回の射出成形によって形成されたプラスチックのシール層８１（図３Ｂ）であり、その直径Ｂ１は直径Ｂより１−５ｍｍ小さく設定され、直径Ｂは前記第二ハウジング、即ちＰＵシール層７とナイロンシール層８によってそれぞれ別に射出成形されて構成された場合の第二ハウジングの直径である。
【００３９】
以上をまとめると、これら一回の射出成形は二回の射出成形に比べ、製造し易く、かつ生産工程もより簡便である。即ち、第一ハウジング７５及び第二ハウジング９５はナイロンシール層とすることもでき、一回の射出成形によって形成される。オス端子締め付け用ヘッド３２とメス端子締め付け用ヘッド１３はプラスチックシール層又はその他のプラスチック材料とすることもでき、一回の射出成形によって形成される。これら一回の射出成形は二回の射出成形工程に比べより簡便である。
【００４０】
前記オス端子と前記メス端子は相互に係合接続することができる。本実施例において採用するオス端子締め付け用ヘッドとメス端子締め付け用ヘッドはそれぞれアルミ製材質又はナイロンであるが、本考案においてはその他の緊密な結合性能を有する材質作もオス端子締め付け用ヘッドとメス端子締め付け用ヘッドの原材料に採用することができる。
【００４１】
前記オス端子と前記メス端子は相互に係合接続することができる。
【００４２】
また、本考案において採用するオス端子締め付け用ヘッド３２とメス端子締め付け用ヘッド１３はそれぞれアルミ製材質であるが、本考案においてはその他の緊密な結合性能を有する材質もオス端子締め付け用ヘッド３とメス端子締め付け用ヘッド１３の原材料に採用することができる。
【００４３】
オス端子台２は、ヘッドストッパー部、中間可動部及び尾部射出成形部を含み、オス端子締め付け用ヘッド３は前記中間可動部に沿っていくらかの移動可能ストロークを有し、オス端子締め付け用ヘッド３は前記中間可動部に配置され、かつ前記ヘッドストッパー部によってオス端子台２からその離脱が阻止される。オス端子締め付け用ヘッド３の長さはオス端子台２の中間可動部の長さより短く、これによりオス端子締め付け用ヘッド３はネジ締め操作を行うに足る活動スペースを確保する。
【００４４】
メス端子台１２はヘッド部、中間バリア部及び後端射出成形部を含み、メス端子締め付け用ヘッド１３は前記ヘッド部に配置され、メス端子締め付け用ヘッド１３はメス端子台１２の軸に沿って回転することができず、オス端子締め付け用ヘッド３を挿し込み口に挿し込み、ヘッド１３をネジ締めした後、オス端子締め付け用ヘッド３を移動させることで、オス端子締め付け用ヘッド３をメス端子締め付け用ヘッド１３にネジ入れるとともに、かつメス端子締め付け用ヘッド１３に押し込むことができ、メス端子締め付け用ヘッド１３と前記中間バリア部の間の間隙内にシールリング８を配置し、メス端子締め付け用ヘッド・オス端子締め付け用ヘッド３にシールリングを押し込むことによれば、より良好な密封性が得られる。
【００４５】
本考案において提供する防水コネクタは、さらに複数のメスコネクタ２２を配置でき、これにより、一個の防水コネクタを複数の電気製品のための電気供給に使用でき、さらに前記複数のメスコネクタ２２が一体射出成形によって成形されるため、加工し易い。図３、４、５に２口、３口、４口の防水コネクタを示す。前記一体射出成形によって成形された複数のメスコネクタの電気（接続）方式は全直列、又は全並列、又は直並列接続とすることができる。
【００４６】
具体的には、防水コネクタユニットであって、該防水コネクタユニットは少なくとも一組又は複数組の防水コネクタを含み、各組の防水コネクタは少なくともオスコネクタとメスコネクタを含み、うち一つが入力端子、別の一つが出力端子であり、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し、
メスコネクタのメス端子締め付け用ヘッドとオスコネクタのオス端子締め付け用ヘッドがネジ締めされて接続され、さらに、前記防水コネクタユニットの間が各自のオスコネクタ又はメスコネクタによって相互に並列又は直列又は直並列接続される。
【００４７】
メスコネクタのメス端子締め付け用ヘッドとオスコネクタのオス端子締め付け用ヘッドがネジ締めされて接続され、具体的には、オス端子締め付け用ヘッドの外側に外側のネジ山が配置され、前記メス端子締め付け用ヘッドの内側に前記外側のネジ山と互いにねじ込み可能な内側のネジ山が配置される。
【００４８】
前記第一ハウジング／第二ハウジングがともにＰＵシール層とナイロンシール層を含み、前記ナイロンシール層が前記ＰＵシール層の表面に配置され、前記ＰＵシール層と前記ナイロンシール層がそれぞれ一回の射出成形によって形成される、或いは前記第一ハウジング／第二ハウジングが一回の射出成形によって形成されたナイロンシール層で構成される。
【００４９】
前記第一ハウジングが一回の射出成形によって形成されたプラスチックのシール層であり、その直径Ａ１が直径Ａより１−５ｍｍ小さく設定され、直径Ａが前記第一ハウジング、即ちＰＵシール層とナイロンシール層がそれぞれ別に射出成形されて構成された場合の第一ハウジングの直径であり、及び／又は、
第二ハウジングが一回の射出成形によって形成されたプラスチックのシール層であり、その直径Ｂ１が直径Ｂより１−５ｍｍ小さく設定され、直径Ｂが前記第二ハウジング、即ちＰＵシール層とナイロンシール層がそれぞれ別に射出成形されて構成された場合の第二ハウジングの直径である。
【００５０】
さらに、オス端子締め付け用ヘッド３２とメス端子締め付け用ヘッド１３はナイロンシール層又はその他のプラスチック材料とすることもでき、一回の射出成形によって形成される。
【００５１】
本実施例において提供する前記オスコネクタ２１の製造工程は以下の通りである。
オス端子１のヘッド部をオス端子台２に挿し込み、尾部をオス端子台２の外側に配置する。
オス端子締め付け用ヘッド３をオス端子台２の外側に配置し、オス端子台２の尾部に配置したオス端子と電線ジョイントを接続する。
ＰＵシール層５をオス端子１と電線ジョイントの接続部位に射出成形し、かつオス端子台２尾部の一部と電線絶縁層の一部を被覆する。
ナイロンシール層６をＰＵシール層５の部位に射出成形し、その尾部をＰＵシール層より若干長くし、かつ電線絶縁層の一部を被覆する。
【００５２】
ＰＵシール層５とナイロンシール層６を一層のみのプラスチック製シール層６１にて構成する場合の製造工程は以下の通りである。オス端子１のヘッド部をオス端子台２に挿し込み、尾部をオス端子台２の外側に配置する。オス端子締め付け用ヘッド３をオス端子台２の外側に配置し、オス端子台２の尾部に配置したオス端子と電線ジョイントを接続する。ナイロンシール層６１をオス端子１と電線ジョイントの接続部位に射出成形し、かつオス端子台２尾部の一部と電線絶縁層の全てを被覆する。
【００５３】
本実施例において提供するメスコネクタ２２の製造工程は以下の通りである。
メス端子１１のヘッド部をメス端子台１２に挿し込み、尾部をメス端子台１２の外側に配置する。
メス端子締め付け用ヘッド１３をメス端子台１２上に配置する。
メス端子１１のヘッド部と電線ジョイントを接続する。
ＰＵシール層７をメス端子１１と電線の接続部位に射出成形し、メス端子締め付け用ヘッド１３の底部、メス端子台１２尾部と電線絶縁層の一部を被覆する。
ナイロンシール層８をＰＵシール層７の外側に射出成形し、その尾部をＰＵシール層７より若干長くし、かつ電線絶縁層の一部を被覆する。
【００５４】
ＰＵシール層７とナイロンシール層８を一層のみのプラスチックシール層８１にて構成する場合の、製造工程は以下の通りである。メス端子１１のヘッド部をメス端子台１２に挿し込み、尾部をメス端子台１２の外側に配置する。メス端子締め付け用ヘッド１３をメス端子台１２上に配置する。メス端子１１のヘッド部と電線ジョイントを接続する。プラスチックシール層８１をメス端子１１と電線の接続部位に射出成形し、メス端子締め付け用ヘッド１３の底部、メス端子台１２尾部と電線絶縁層全てを被覆する。
【００５５】
防水コネクタの締め付け用ヘッドはアルミ型材を用いて加工製造することで、ピン挿し込み接続ヘッドと挿し込み口接続ヘッドの接続が緊密になり、保護等級も向上する。
【００５６】
防水コネクタのシール層はＰＵ材料とナイロン材料を用いて二回の射出成形すれば、ナイロン材料は良好な屋外保護性能を有し、かつＰＵ材料の耐候性も良好であることから、防水コネクタの保護等級が向上する。防水コネクタのＰＶＣ材料シール層と電線のゴム製プロテクター間の接着が堅牢であることから、接続ヘッド尾部と電線間の間隙からの水分の浸入を防止する。
【００５７】
以上に公開した本考案の好適な実施例は本考案の説明を補足するためのものに過ぎない。好適な実施例が全ての細部を網羅的に説明し尽しているわけではなく、また本考案が前記考案を実施するための形態のみに制限されるものでもない。本明細書の内容に基づき、極めて多くの修正と変更を加えることができるのは当然である。本明細書が選択し具体的に説明したこれらの実施例は、本考案の原理と実際の応用をより分かり易く説明し、ひいては本技術分野に属する技術者が本考案をより深く理解し利用できるようにするためのものである。本考案は実用新案登録請求の範囲及びその全ての範囲と等価物によってのみ制限を受ける。
【図１】
0003207493.tif 000003
【図２Ａ】
0003207493.tif 000004
【図２Ｂ】
0003207493.tif 000005
【図３Ａ】
0003207493.tif 000006
【図３Ｂ】
0003207493.tif 000007
【図４】
0003207493.tif 000008
【図５】
0003207493.tif 000009
【図６】
0003207493.tif 000010
【図７】
0003207493.tif 000011
【図８】
0003207493.tif 000012
【図９】
0003207493.tif 000013
【手続補正書】
【提出日】平成28年1月13日(2016.1.13)
【手続補正１】
【補正対象書類名】実用新案登録請求の範囲
【補正対象項目名】全文
【補正方法】変更
【補正の内容】
【実用新案登録請求の範囲】
【請求項１】
少なくも一個のオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記オス端子締め付け用ヘッドの外側にネジ山が配置され、前記オス端子締め付け用ヘッドがアルミ製材質又はナイロンである、
ことを特徴とする防水コネクタ。
【請求項２】
前記第一ハウジングが、ＰＵシール層とナイロンシール層を含み、前記ナイロンシール層が前記ＰＵシール層の表面に配置され、前記ＰＵシール層と前記ナイロンシール層がそれぞれ一回の射出成形によって形成される、
ことを特徴とする請求項１に記載の防水コネクタ。
【請求項３】
前記オス端子台にヘッドストッパー部、中間可動部及び尾部射出成形部が配置され、前記オス端子締め付け用ヘッドが前記中間可動部に沿っていくらかの移動可能ストロークを有し；前記オス端子締め付け用ヘッドが前記中間可動部に配置され、かつ前記ヘッドストッパー部によって前記オス端子台からその離脱が阻止され、前記尾部射出成形部にネジ山が配置される、
ことを特徴とする請求項１に記載の防水コネクタ。
【請求項４】
前記オスコネクタにパーテーション及びフールプルーフ構造が配置される請求項１に記載の防水コネクタ。
【請求項５】
メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
前記メス端子締め付け用ヘッドの内側にネジ山が配置され、前記メス端子締め付け用ヘッドがアルミ製材質又はナイロンである、
ことを特徴とする防水機能のメスコネクタ。
【請求項６】
前記メス端子台にヘッド部、中間バリア部及び尾部射出成形部が配置され、前記メス端子締め付け用ヘッドが前記ヘッド部に固定され、前記尾部射出成形部にネジ山が設計され、前記メス端子締め付け用ヘッドと前記中間バリア部の間にシールリングが配置される、
ことを特徴とする請求項５に記載の防水機能のメスコネクタ。
【請求項７】
前記第二ハウジングがＰＵシール層とナイロンシール層を含み、前記ナイロンシール層が前記ＰＵシール層の表面に配置され、前記ＰＵシール層と前記ナイロンシール層がそれぞれ一回の射出成形によって形成された、
ことを特徴とする請求項５に記載の防水機能のメスコネクタ。
【請求項８】
スペースと凹部をさらに備える、
ことを特徴とする請求項５に記載の防水機能のメスコネクタ。
【請求項９】
防水コネクタであって、オスコネクタとメスコネクタを含み、うち一つが入力端子、別の一つが出力端子であり、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
前記オス端子締め付け用ヘッドの外側に外側のネジ山が配置され、前記メス端子締め付け用ヘッドの内側に前記外側のネジ山と互いにねじ込み可能な内側のネジ山が配置される、ことを特徴とする防水コネクタ。
【請求項１０】
前記オス端子台にヘッドストッパー部、中間可動部及び尾部射出成形部が配置され、前記オス端子締め付け用ヘッドが前記中間可動部に沿っていくらかの移動可能ストロークを有し、前記オス端子締め付け用ヘッドが前記中間可動部に配置され、かつ前記ヘッドストッパー部によって前記オス端子台からその離脱が阻止され、前記尾部射出成形部にネジ山が設計され；前記メス端子台にヘッド部、中間バリア部及び尾部射出成形部が配置され、前記メス端子締め付け用ヘッドが前記ヘッド部に固定され、前記尾部射出成形部にネジ山が設計される、
ことを特徴とする請求項９に記載の防水コネクタ。
【請求項１１】
防水コネクタユニットが少なくとも一組又は複数組の防水コネクタを含み、各組の防水コネクタが少なくともオスコネクタとメスコネクタを含み、うち一つが入力端子、別の一つが出力端子であって、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
メスコネクタのメス端子締め付け用ヘッドとオスコネクタのオス端子締め付け用ヘッドがネジ締めされて接続され、かつ前記防水コネクタユニットの間が各自のオスコネクタ又はメスコネクタによって相互に並列又は直列又は直並列接続される、
ことを特徴とする防水コネクタユニット。
【請求項１２】
前記オス端子締め付け用ヘッドの外側に外側のネジ山が配置され、前記メス端子締め付け用ヘッドの内側に前記外側のネジ山と互いにねじ込み可能な内側のネジ山が配置される、
ことを特徴とする請求項１１に記載の防水コネクタユニット。
【請求項１３】
前記第一ハウジングが一回の射出成形によって形成されたプラスチックのシール層であり、その直径Ａ１が直径Ａより１−５ｍｍ小さく設定され、直径ＡがＰＵシール層とナイロンシール層がそれぞれ別に射出成形されて構成された場合の第一ハウジングの直径であり；及び／又は
第二ハウジングが一回の射出成形によって形成されたプラスチックのシール層であり、その直径Ｂ１が直径Ｂより１−５ｍｍ小さく設定され、直径ＢがＰＵシール層とナイロンシール層がそれぞれ別に射出成形されて構成された場合の第二ハウジングの直径である、
ことを特徴とする請求項１１に記載の防水コネクタユニット。
【請求項１４】
少なくとも一つのオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、かつ前記オス端子締め付け用ヘッドの外側にネジ山が配置され、さらに前記オスコネクタの第一ハウジングがプラスチック一体射出成形されたものである、
ことを特徴とする防水コネクタ。
【請求項１５】
前記第一ハウジングが一回の射出成形によって形成されたプラスチックのシール層であり、その直径Ａ１が直径Ａより１−５ｍｍ小さく設定され、直径ＡがＰＵシール層とナイロンシール層がそれぞれ別に射出成形されて構成された場合の第一ハウジングの直径である、
ことを特徴とする請求項１４に記載の防水コネクタ。
【請求項１６】
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッド底部において導線絶縁層部分までを被覆し、前記メス端子締め付け用ヘッドの内側にネジ山が配置され、かつ前記メスコネクタの第二ハウジングがプラスチック一体射出成形されたものである、
ことを特徴とする防水機能のメスコネクタ。
【請求項１７】
前記第二ハウジングが一回の射出成形によって形成されたプラスチックのシール層であり、その直径Ｂ１が直径Ｂより１−５ｍｍ小さく設定され、直径ＢがＰＵシール層とナイロンシール層がそれぞれ別に射出成形されて構成された場合の第二ハウジングの直径である、ことを特徴とする請求項１６に記載の防水機能のメスコネクタ。
【手続補正書】
【提出日】平成28年8月18日(2016.8.18)
【手続補正１】
【補正対象書類名】実用新案登録請求の範囲
【補正対象項目名】全文
【補正方法】変更
【補正の内容】
【実用新案登録請求の範囲】
【請求項１】
少なくも一個のオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記オス端子締め付け用ヘッドの外側にネジ山が配置され、前記オス端子締め付け用ヘッドがアルミ製材質又はナイロンである、
ことを特徴とする防水コネクタ。
【請求項２】
前記第一ハウジングが、ＰＵシール層とナイロンシール層を含み、前記ナイロンシール層が前記ＰＵシール層の表面に配置され、前記ＰＵシール層と前記ナイロンシール層がそれぞれ一回の射出成形によって形成される、
ことを特徴とする請求項１に記載の防水コネクタ。
【請求項３】
前記オス端子台にヘッドストッパー部、中間可動部及び尾部射出成形部が配置され、前記オス端子締め付け用ヘッドが前記中間可動部に沿っていくらかの移動可能ストロークを有し；前記オス端子締め付け用ヘッドが前記中間可動部に配置され、かつ前記ヘッドストッパー部によって前記オス端子台からその離脱が阻止され、前記尾部射出成形部にネジ山が配置される、
ことを特徴とする請求項１に記載の防水コネクタ。
【請求項４】
前記オスコネクタにパーテーション及び正負極誤接続を防止するためのフールプルーフ構造が配置される請求項１に記載の防水コネクタ。
【請求項５】
メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
前記メス端子締め付け用ヘッドの内側にネジ山が配置され、前記メス端子締め付け用ヘッドがアルミ製材質又はナイロンである、
ことを特徴とする防水機能のメスコネクタ。
【請求項６】
前記メス端子台にヘッド部、中間バリア部及び尾部射出成形部が配置され、前記メス端子締め付け用ヘッドが前記ヘッド部に固定され、前記尾部射出成形部にネジ山が設計され、前記メス端子締め付け用ヘッドと前記中間バリア部の間にシールリングが配置される、
ことを特徴とする請求項５に記載の防水機能のメスコネクタ。
【請求項７】
前記第二ハウジングがＰＵシール層とナイロンシール層を含み、前記ナイロンシール層が前記ＰＵシール層の表面に配置され、前記ＰＵシール層と前記ナイロンシール層がそれぞれ一回の射出成形によって形成された、
ことを特徴とする請求項５に記載の防水機能のメスコネクタ。
【請求項８】
スペースと凹部をさらに備える、
ことを特徴とする請求項５に記載の防水機能のメスコネクタ。
【請求項９】
防水コネクタであって、オスコネクタとメスコネクタを含み、うち一つが入力端子、別の一つが出力端子であり、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
前記オス端子締め付け用ヘッドの外側に外側のネジ山が配置され、前記メス端子締め付け用ヘッドの内側に前記外側のネジ山と互いにねじ込み可能な内側のネジ山が配置される、ことを特徴とする防水コネクタ。
【請求項１０】
前記オス端子台にヘッドストッパー部、中間可動部及び尾部射出成形部が配置され、前記オス端子締め付け用ヘッドが前記中間可動部に沿っていくらかの移動可能ストロークを有し、前記オス端子締め付け用ヘッドが前記中間可動部に配置され、かつ前記ヘッドストッパー部によって前記オス端子台からその離脱が阻止され、前記尾部射出成形部にネジ山が設計され；前記メス端子台にヘッド部、中間バリア部及び尾部射出成形部が配置され、前記メス端子締め付け用ヘッドが前記ヘッド部に固定され、前記尾部射出成形部にネジ山が設計される、
ことを特徴とする請求項９に記載の防水コネクタ。
【請求項１１】
防水コネクタユニットが少なくとも一組又は複数組の防水コネクタを含み、各組の防水コネクタが少なくともオスコネクタとメスコネクタを含み、うち一つが入力端子、別の一つが出力端子であって、
前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し；
前記メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッドの底部において導線絶縁層部分までを被覆し；
メスコネクタのメス端子締め付け用ヘッドとオスコネクタのオス端子締め付け用ヘッドがネジ締めされて接続され、かつ前記防水コネクタユニットの間が各自のオスコネクタ又はメスコネクタによって相互に並列又は直列又は直並列接続される、
ことを特徴とする防水コネクタユニット。
【請求項１２】
前記オス端子締め付け用ヘッドの外側に外側のネジ山が配置され、前記メス端子締め付け用ヘッドの内側に前記外側のネジ山と互いにねじ込み可能な内側のネジ山が配置される、
ことを特徴とする請求項１１に記載の防水コネクタユニット。
【請求項１３】
前記第一ハウジングが一回の射出成形によって形成されたプラスチックのシール層であり、その直径Ａ１が直径Ａより１−５ｍｍ小さく設定され、直径ＡがＰＵシール層とナイロンシール層がそれぞれ別に射出成形されて構成された場合の第一ハウジングの直径であり；及び／又は
第二ハウジングが一回の射出成形によって形成されたプラスチックのシール層であり、その直径Ｂ１が直径Ｂより１−５ｍｍ小さく設定され、直径ＢがＰＵシール層とナイロンシール層がそれぞれ別に射出成形されて構成された場合の第二ハウジングの直径である、
ことを特徴とする請求項１１に記載の防水コネクタユニット。
【請求項１４】
少なくとも一つのオスコネクタを含み、前記オスコネクタがオス端子、オス端子台、オス端子締め付け用ヘッド及び第一ハウジングを含み、前記オス端子が前記オス端子台に挿し込まれ、前記オス端子が挿し込まれたオス端子台の一端と導線が接続され、前記オス端子締め付け用ヘッドが前記オス端子台上に配置され、かつ前記オス端子台に沿っていくらかの移動ストロークを有し、前記第一ハウジングがオス端子締め付け用ヘッド底部において導線絶縁層部分までを被覆し、かつ前記オス端子締め付け用ヘッドの外側にネジ山が配置され、さらに前記オスコネクタの第一ハウジングがプラスチック一体射出成形されたものである、
ことを特徴とする防水コネクタ。
【請求項１５】
前記第一ハウジングが一回の射出成形によって形成されたプラスチックのシール層であり、その直径Ａ１が直径Ａより１−５ｍｍ小さく設定され、直径ＡがＰＵシール層とナイロンシール層がそれぞれ別に射出成形されて構成された場合の第一ハウジングの直径である、
ことを特徴とする請求項１４に記載の防水コネクタ。
【請求項１６】
メスコネクタがメス端子、メス端子台、メス端子締め付け用ヘッド及び第二ハウジングを含み、前記メス端子が前記メス端子台に挿し込まれ、前記メス端子が挿し込まれたメス端子台の一端と導線が接続され、前記メス端子締め付け用ヘッドが前記メス端子台上に配置かつ固定され、前記第二ハウジングが前記メス端子締め付け用ヘッド底部において導線絶縁層部分までを被覆し、前記メス端子締め付け用ヘッドの内側にネジ山が配置され、かつ前記メスコネクタの第二ハウジングがプラスチック一体射出成形されたものである、
ことを特徴とする防水機能のメスコネクタ。
【請求項１７】
前記第二ハウジングが一回の射出成形によって形成されたプラスチックのシール層であり、その直径Ｂ１が直径Ｂより１−５ｍｍ小さく設定され、直径ＢがＰＵシール層とナイロンシール層がそれぞれ別に射出成形されて構成された場合の第二ハウジングの直径である、ことを特徴とする請求項１６に記載の防水機能のメスコネクタ。